(57)【要約】【課題】ユーザーカードを発行する際に必要なユーザーデータを、管理サーバーに、手入力する必要がないユーザーカードを提供することである。また、ユーザーが記入したユーザーデータとカードとを対応づける作業が簡単なユーザーカードを提供することである。【解決手段】カード本体１２に、ユーザー特定情報を電子データとして記憶した電子データ記憶部１３と、座標を特定できるドットパターンを光学的に読み取り可能に設けたユーザーデータ入力エリア１５とを備えた。【選択図】　図１
2004145654.tif 000002
【特許請求の範囲】
【請求項１】
カード本体に、ユーザー特定情報を電子データとして記憶した電子データ記憶部と、座標を特定できるドットパターンを光学的に読み取り可能に設けたユーザーデータ入力エリアとを備えたユーザーカード。
【請求項２】
カード本体に、光学的に読み取り可能なカード特定データを記憶した光学データ記憶部を備えた請求項１に記載のユーザーカード。
【請求項３】
ユーザーデータ入力エリアに設けた、座標を特定できるドットパターンを、カード本体固有のドットパターンにした請求項１に記載のユーザーカード。
【発明の詳細な説明】
【０００１】
【発明の属する技術分野】
この発明は、店舗が自店の顧客のために発行するユーザーカードに関するものである。
【０００２】
【従来の技術】
遊技場や店舗などの顧客に、ユーザーＩＤを割り振って、それを記憶したユーザーカードを発行することがある。ユーザーは、来店時や、遊技場での遊技中に、このユーザーカードをカード読み取り機に読み取らせることによって、来店や遊技の事実を店舗のコンピュータに記録することができる。そして、店舗では、来店回数や遊技時間に応じてポイントを加算し、さらに、そのポイントに応じたサービスを提供したりすることがある（特許文献１参照）。
【０００３】
ユーザーカードとしては、図５に示すようなユーザーカード１が有る。このカード１は、樹脂製プレートのカード本体２からなり、その表面には、店舗名などが表示されるとともに、ユーザーＩＤ表示部３が設けられている。このユーザーＩＤ表示部３には、ユーザーＩＤが、エンボス加工されている。また、カード本体２の裏面には、予めユーザーＩＤを記憶させた磁気ストライプ４を設けている。
【０００４】
このようなユーザーカードを発行する際には、以下のようにしていた。
まず、顧客に、氏名や、住所、メールアドレスなど、ユーザーデータとして必要な項目の記入欄を設けたユーザーカード申込書５（図６参照）を渡し、その各欄に記入してもらう。
店員は、必要事項を記入したユーザーカード申込書５を回収したら、上記ユーザーカード１をユーザーに渡すが、その前に、図示しないユーザーＩＤ複写装置に、上記ユーザーカード１と、上記ユーザーカード申込書５とを重ねてセットし、圧力をかける。ユーザーカード申込書５の用紙に、圧力によって発色する層を設けておけば、ユーザーカード１のエンボス部分に対応する部分が発色して、図６に示すように、ユーザーＩＤ６をユーザーカード申込書５に写しとることができる。これにより、回収したユーザーカード申込書５にユーザーが記入したユーザーデータと、そのユーザーのユーザーＩＤとがひも付けされる。
【０００５】
店員は、このユーザーカード申込書５を見ながら、図７に示す管理サーバーＳのデータ処理部７に、ユーザーＩＤと対応づけたユーザーデータを手入力する。入力されたユーザーデータは、データ記憶部８に記憶させられ、必要に応じて、表示部９に表示させることもできる。
【０００６】
また、管理サーバーＳには、ユーザーの来店時にユーザーＩＤを読み取るカード読み取り機１０が接続されている。このカード読み取り機１０で、読み取ったユーザーＩＤは、上記管理サーバーＳのデータ処理部７に入力される。データ処理部７は、カード読み取り機１０から入力されたユーザーＩＤとデータ記憶部８のデータと対比して、ユーザーの認証を行ったり、来店履歴や、遊技履歴などをユーザーＩＤに対応づけて、データ記憶部８に蓄積するようにしている。
【０００７】
【特許文献１】
特開平９−２５３３１４号公報（第２頁右欄、１４行目〜２７行目）
【０００８】
【発明が解決しようとする課題】
上記のように、ユーザーカードを発行する場合には、ユーザーカード申込書５に記入された内容を、管理サーバーＳに手入力しなければならない。店員にとっては、入力作業が面倒なだけでなく、入力間違いもあった。
また、特に、一度に、多人数のカード申込者がある時には、カード本体２にエンボス加工されたユーザーＩＤを、ユーザーカード申込書５に複写する作業も、大変であった。
【０００９】
この発明の目的は、ユーザーカードを発行する際に必要なユーザーデータを、管理サーバーに、手入力する必要がないユーザーカードを提供することである。
また、別の目的は、ユーザーが記入したユーザーデータとカードとを対応づける作業が簡単なユーザーカードを提供することである。
【００１０】
【課題を解決するための手段】
第１の発明は、カード本体に、ユーザー特定情報を電子データとして記憶した電子データ記憶部と、座標を特定できるドットパターンを光学的に読み取り可能に設けたユーザーデータ入力エリアとを備えた点に特徴を有する。
第２の発明は、上記第１の発明を前提とし、カード本体に、光学的に読み取り可能なカード特定データを記憶した光学データ記憶部を備えた点に特徴を有する。
第３の発明は、上記第１の発明のユーザーデータ入力エリアに設けた、座標を特定できるドットパターンを、カード本体固有のドットパターンにした点に特徴を有する。
【００１１】
【発明の実施の形態】
図１〜図３に、この発明のユーザーカードの第１実施例を示す。
図１に示すユーザーカード１１は、樹脂製のカード本体１２で構成されている。図１に示すユーザーカード１１の裏面には、磁気ストライプ１３と、光学データ記憶部１４と、ユーザーデータ記入エリア１５とが設けられている。上記磁気ストライプ１３には、ユーザーＩＤを予め記憶させてあり、この磁気ストライプ１３が、この発明の電子データ記憶部にあたる。
なお、ユーザーカードは、ＩＣカードでも良く、その場合には、上記磁気ストライプ１３の代わりに、カード本体１２内に設けた記憶装置にユーザーＩＤを記憶させておく。
【００１２】
また、上記光学データ記憶部１４には、光学的に読み取り可能な形で、カードを特定できるカードＩＤが記憶されている。具体的には、カードＩＤをバーコードなどで表示している。このカードＩＤは、上記磁気ストライプ１３に記憶されているユーザーＩＤと対応付けされていなければならない。従って、カードＩＤとユーザーＩＤとが同じものでもかまわないし、異なるＩＤの場合には、それを対応づけて、その対応関係を後で説明する管理サーバーＳのデータ記憶部８（図３参照）に、予め記憶させておく必要がある。
【００１３】
また、図１のユーザーカード１１のユーザーデータ入力エリア１５には、そのエリア内の位置を特定できるドットパターンが印刷されている。つまり、予め、そのパターン配列を記憶しておけば、あるドットパターンを読み取った時、記憶しているパターンと対比して、そのドットパターンが、どの位置なのかがわかる。実際には、複数の異なるドットパターンがあり、個々のドットパターンに、絶対的な座標データを対応づけて記憶しておく場合と、ドットパターン同士の相対位置関係だけを記憶しておく場合とが考えられる。
【００１４】
そこで、このユーザーデータ入力エリア１５に、文字を記入した場合、その筆跡が、どのドットパターンの位置に書かれたものかを読みとれば、どんな手書き文字が書かれたのかを読み取ることができる。
そのため、この第１実施例のユーザーカード１１のユーザーデータ入力エリア１５に、ユーザーデータを書き込むために、図２に示す電子ペン１６を用いる。
この電子ペン１６は、ペン本体１７内に、インクタンク１８を備え、そのインクを導いて文字などを書くためのペン先１９を備えている。さらに、ペン本体１７の内部には、レンズ２０ａを備えたカメラ２０と、処理部２１と、記憶部２２と、データ送信部２３と、バッテリ２４とを備えている。
【００１５】
上記電子ペン１６は、インクを使って、通常のペンと同じように、文字を書くことができる。また、上記カメラ２０は、デジタルカメラであり、文字が記入されている間、その筆跡に沿って入力エリア１５内のドットパターンを撮影し、その画像データを処理部２１に対して出力する。
上記記憶部２２は、ユーザーデータ入力エリアのドットパターンを予め記憶しておくとともに、処理部２１から入力されたデータも、一時的に記憶する機能を備えている。
【００１６】
処理部２１では、上記カメラ２０から次々入力されるドットパターンの画像データと、記憶部２２のドットパターンのデータとを対比して、ドットパターンの位置を特定することによって、ペンの軌跡のデータ、すなわち文字形状データを作成し、その文字が記入された位置データとともに記憶部２２に記憶させる機能を備えている。
さらに、データ送信部２３は、記憶部２２に記憶されたデータを管理サーバーＳへ送信する機能を備えている。このデータ送信部２３には、ブルートゥースなどの、近距離無線や、赤外線通信などが利用できるが、特に、限定はされない。
【００１７】
以上のような電子ペン１６とユーザーカード１１とを用いて、ユーザーカードを発行する手順を以下に説明する。
なお、図３に示す管理サーバーＳは、図７に示す従来例の管理サーバーＳと同じである。ただし、管理サーバーＳのデータ処理部７は、電子ペン１６のデータ送信部２３から送信されるデータを受信する機能を備えている。そして、この図３では、無線通信部分を破線で示している。
【００１８】
ユーザーカードの申し込み時、ユーザーは、ユーザーカード申込書５（図６参照）に記入する代わりに、図１に示すカード本体１２の裏面のユーザーデータ入力エリア１５に、直接、必要事項を記入する。このユーザーデータ入力エリア１５は、氏名欄１５ａ、住所欄１５ｂ、メールアドレス欄１５ｃなどを備えている。
ユーザーが、データを書き込んでいる時に、電子ペン１６のカメラ２０は、ドットパターンを読み取って、そのデータを処理部２１へ出力する。処理部２１では、文字形状データとその位置データとを記憶部２２へ記憶させる。
【００１９】
ユーザーは、必要事項を全て記入し終わったら、最後に、光学データ記憶部１４のバーコードを電子ペン１６でなぞる。電子ペン１６のカメラ２０は、バーコードを読み取って、処理部２１がカードＩＤを特定する。
処理部２１は、カードＩＤを特定したら、データ送信部２３に、記憶部２２のユーザーデータとともに上記カードＩＤを送信させる。
ここでは、処理部２１が、光学データ記憶部１４からカードＩＤを読み取ったことをトリガとして、自動的にデータ送信部２３がデータ送信を開始するようにしているが、図示しないスイッチなどによって、データ送信のタイミングを制御するようにしてもかまわない。あるいは、カメラ２０が読み取ったデータを処理部２１が処理したら、次々、送信するようにしてもかまわない。
【００２０】
一方、電子ペン１６からデータを受信した管理サーバーＳのデータ処理部７では、受信した手書き文字の画像データを文字コードに変換し、さらに、ユーザーデータ入力エリア１５内の各欄１５ａ，１５ｂ，１５ｃの位置に応じて、それぞれ、ユーザーデータとしてデータ記憶部８に記憶させる。その際、カードＩＤを介して、ユーザーデータとユーザーＩＤとを対応づける。
すなわち、データ記憶部８には、予めカードＩＤとユーザーＩＤとの対応テーブルを記憶させているので、電子ペン１６から、ユーザーデータとともに、カードＩＤが入力されれば、ユーザーＩＤを特定することができる。
【００２１】
ただし、電子ペン１６のカメラ２０で読み取った手書き文字のデータを文字コードに変換する処理を、電子ペン１６の処理部２１で行うようにしてもよい。その場合には、管理サーバーＳのデータ処理部７は、受信したユーザーデータをユーザーＩＤに対応づけて記憶させるだけでよい。
反対に、電子ペン１６の処理部２１で、行っている位置データ作成の処理を、上記管理サーバーＳのデータ処理部７で行うようにしても良い。その場合には、管理サーバーＳのデータ記憶部８に、位置特定用の基準となるドットパターンを予め記憶しておかなければならないが、電子ペン１６の処理部２１では、入力されたドットパターンの画像をそのまま出力するようにすればよい。
【００２２】
また、カード本体１２に表示する光学データ記憶部１４に、ユーザーＩＤそのものを記憶させておけば、上記のように、カードＩＤを介してユーザーＩＤを特定する処理が不要になる。さらに、第１実施例では、上記光学データ記憶部１４をバーコードとしているが、バーコードに限らない。例えば、カード固有のドットパターンでも良い。このドットパターンは、ドットの配置や、ドットの形状、大きさ、色などによって構成する。
【００２３】
以上のようにして、発行したユーザーカード１１は、ユーザーが、来店したり、遊技したりする際に、カード読み取り機１０によって、ユーザーＩＤを読み取らせ、そのユーザーＩＤが管理サーバーＳに入力される。そして、このユーザーＩＤに対応づけて、ユーザーの履歴やポイントなどを蓄積していく点は、従来例と同様である。
【００２４】
上記第１実施例のユーザーカード１１ならば、図２に示すような電子ペン１６を利用することによって、ユーザーが手書きしたユーザーデータをそのまま電子データとして、管理サーバーＳに登録することができる。
従って、従来のように、店員が、ユーザーカード申込書に書かれたデータを、手入力する手間がない。
また、ユーザーカード１１と、ユーザーが記入したユーザーデータとを対応付ける作業も必要ない。
【００２５】
なお、上記第１実施例では、ユーザーＩＤを記憶させた磁気ストライプ１３とは別に、カードＩＤを記憶する光学データ記憶部１４を設けているが、この光学データ記憶部１４は必須ではない。ただし、光学データ記憶部１４がない場合には、管理サーバーに自動的に入力されるユーザーデータと、そのユーザーに渡したカード、すなわちユーザーＩＤとを対応づける作業が必要である。
【００２６】
例えば、全てのユーザーデータが自動入力された後に、電子ペン１６とともに、ユーザーカード１１を一旦返却してもらい、その磁気ストライプ１３を読み取ってそのデータを、先に入力されたユーザーデータに対応づけるようにすることが考えられる。
あるいは、ユーザーに、ユーザーカード１１を渡す前に、カード読み取り機１０で磁気ストライプを読み取って、そのユーザーＩＤを管理サーバーＳに入力し、それから、ユーザーに、必要事項を記入してもらうようにする。管理サーバーＳのデータ処理部７では、カード読み取り機１０から、新しいユーザーＩＤが入力された後、続けて入力されたユーザーデータを、先のユーザーＩＤに対応づけるようにする。
【００２７】
その他、ユーザーデータとユーザーＩＤの対応付けは、どのような方法を用いてもかまわないが、光学データ記憶部１４が無い場合でも、店員が、ユーザーが記入した内容に基づいて、ユーザーデータを手入力する必要は無く、そのメリットは大きい。
しかし、電子ペン１６が複数あって、同時に、複数のユーザーが、カードに自分の情報を記入するような状況では、上記のように、初めにカード読み取り機１０から入力されたカードＩＤとその後に入力されたユーザーデータとの対応付けが難しいことがある。そのような場合にも対応できる方法として、第２実施例を説明する。
【００２８】
第２実施例は、図１に示す第１実施例のカード１１の光学データ記憶部１４が無いカードを用いる例である。そして、そのようなカードを発行したり、ユーザーデータを管理したりするシステムの全体構成は、図３に示す第１実施例と同様であり、カード１１にデータを記入する電子ペンも、図２の第１実施例の電子ペン１６と同じである。従って、この第２実施例の説明にも、図１〜図３を用いる。
ただし、上記電子ペン１６には、ペンＩＤを付与している。そして、記憶部２２は、自身のペンＩＤを記憶し、データ送信部２３は、ユーザーデータ送信時に、自身のペンＩＤをひもづけて送信するようにしている。
【００２９】
以下に、この第２実施例のユーザーカードを発行する手順を、図４のフローチャートに従って説明する。
ステップＳ１で、店員が、管理サーバーＳにペンＩＤを入力し、ステップＳ２で、カード読み取り機１０でカード本体１２の磁気ストライプ１３からユーザーＩＤを読み取らせる。ステップＳ３で、データ処理部７は、両ＩＤを対応づけて、ＩＤ対応テーブルとしてデータ記憶部８に記憶させる。
ステップＳ４で、カード本体１２と電子ペン１６とを手渡す。
【００３０】
ステップＳ５で、ユーザーが、カード本体１２のユーザーデータ入力エリア１５内に必要事項を記入しているときに、電子ペン１６は、ユーザーが記入したデータを記憶する。
ステップＳ６で、電子ペン１６は、記憶したユーザーデータをペンＩＤとともに、管理サーバーＳのデータ処理部７へ送信する。ステップＳ７で、上記データ処理部７は、データ記憶部８に記憶されているＩＤ対応テーブルに基づいて、電子ペン１６から送信されたユーザーデータにユーザーＩＤを対応づけて記憶させる。
以上のステップで、カード発行は終了（ステップＳ８）し、管理サーバーＳには、カードを発行したユーザーのユーザーデータの入力も終了する。
【００３１】
この第２実施例のようにすれば、複数の電子ペンが同時に使用され、ユーザーデータが管理サーバーＳに自動的に入力されても、ペンＩＤを介して、ユーザーデータにユーザーＩＤを簡単に対応づけることができる。
以上のように、この発明のユーザーカードを用いれば、ユーザーデータを入力したり、ユーザーＩＤを確認したりする店員の手間が省略できるだけでなく、ユーザーは、必要事項を記入するだけで、すぐに、カードを発行してもらうことができる。
また、記入されたユーザーデータとユーザーカードとを自動的に対応づける方法は、上記第１、第２実施例のように、光学データ記憶部１４や、ペンＩＤを用いるものに限らない。例えば、ユーザーデータ記入エリア１５の座標を特定するためのドットパターンを、ユーザーカード毎に固有のパターンにしておけば、筆跡位置の特定と同時に、ユーザーカードの特定もできる。つまり、座標特定用のドットパターンが、上記光学データ記憶部１４の機能を兼ねることになる。
【００３２】
従来例のように、ユーザーカード申込書のデータを手入力する場合、短時間に多数の申し込みがあると、すぐにデータを入力できないため、後からまとめてデータ入力をすることがあった。そのような時には、ユーザーが、渡されたカードをすぐに利用できないというようなこともあったが、この発明のユーザーカードなら、カード発行と同時に、ユーザーデータが管理サーバーＳに入力されるので、ユーザーカードをすぐに利用できる。
なお、この発明のユーザーカードは、遊技場や、店のなどの会員カードだけではなく、病院の診察券や、定期乗車券などとしても利用できる。
【００３３】
【発明の効果】
第１〜第３のユーザーカードによれば、手書き文字を読み取ってコンピュータに送信できる電子ペンを用いることができ、ユーザーデータを手入力する手間を省くことができる。
第２の発明によれば、ユーザーデータ入力エリアのデータと、ユーザーデータとの対応付けが簡単にできるようになる。
第３の発明によれば、ユーザーデータと、ユーザー特定情報との対応付けがより簡単にできる。
【図面の簡単な説明】
【図１】第１実施例のユーザーカードの裏面を示す図である。
【図２】第１実施例の電子ペンの内部構造を示した図である。
【図３】第１実施例のユーザーカードを用いたシステムの構成図である。
【図４】第２実施例のユーザーカードを発行する手順を示すフローチャートである。
【図５】従来例のユーザーカードの表面を示す図である。
【図６】従来例のユーザーカード申込書の平面図である。
【図７】従来例のユーザーカードを用いたシステムの構成図である。
【符号の説明】
１１　　　ユーザーカード
１２　　　カード本体
１３　　　電子データ記憶部としての磁気ストライプ
１４　　　光学データ記憶部
１５　　　ユーザーデータ入力エリア
【図１】
2004145654.tif 000003
【図２】
2004145654.tif 000004
【図３】
2004145654.tif 000005
【図４】
2004145654.tif 000006
【図５】
2004145654.tif 000007
【図６】
2004145654.tif 000008
【図７】
2004145654.tif 000009